(57)【要約】【課題】本発明の目的は、ラップカートン開封時に、引き出し用ラベルが使用者から見えない位置にあることを防止するラップフィルム装置を提供することである。【解決手段】本発明に係るラップフィルム装置１００は、引き出し用ラベル２７を有するラップロール４０と、ラップロール４０を収容するラップカートン５０とを有するラップフィルム装置１００において、引き出し用ラベル２７は、ラップロール４０の表面４０ａから離れた少なくとも１つの突片７１を有し、ラップカートン５０は、突片７１を引っ掛けるための凸凹７７を内面に有することを特徴とする。【選択図】図１
2015003743.tif 000002
【特許請求の範囲】
【請求項１】
引き出し用ラベルを有するラップロールと、該ラップロールを収容するラップカートンとを有するラップフィルム装置において、
前記引き出し用ラベルは、前記ラップロールの表面から離れた少なくとも１つの突片を有し、
前記ラップカートンは、前記突片を引っ掛けるための凸凹を内面に有することを特徴とするラップフィルム装置。
【請求項２】
前記ラップカートンの壁のうち、前記引き出し用ラベルの引き出し方向の壁を本体前面板とし、該本体前面板と対向する壁を本体後面板とし、前記凸凹は、前記本体前面板、前記本体後面板又はその両方に設けられていることを特徴とする請求項１に記載のラップフィルム装置。
【請求項３】
前記本体前面板と前記本体後面板との間の底壁を本体底面板とし、前記本体前面板と前記本体後面板との間の左側の側壁を本体左側面板とし、前記本体前面板と前記本体後面板との間の右側の側壁を本体右側面板とし、
前記本体前面板の上端辺、前記本体後面板の上端辺、前記本体左側面板の上端辺及び前記本体右側面板の上端辺が形成する開口部を上面開口部とし、
前記本体後面板の上端辺に回動可能に連接され、前記上面開口部を閉鎖時に覆う壁を天面板とし、
前記凸凹は、更に、前記天面板、前記本体底面板又はその両方に設けられていることを特徴とする請求項２に記載のラップフィルム装置。
【請求項４】
前記凸凹は、溝又はエンボスであることを特徴とする請求項１〜３のいずれか一つに記載のラップフィルム装置。
【請求項５】
前記突片は、前記引き出し用ラベルの少なくとも一部を非粘着面とした部分であるか、又は、前記引き出し用ラベルの粘着面同士を貼り合わせた重なり部分であることを特徴とする請求項１〜４のいずれか一つに記載のラップフィルム装置。
【請求項６】
前記引き出し用ラベルの引き出し方向の先端部は、前記引き出し用ラベルの少なくとも一部を非粘着面とした、若しくは、前記引き出し用ラベルの粘着面同士を貼り合わせて重なり部分としたつまみ部を有し、該つまみ部が前記突片を兼ねることを特徴とする請求項１〜５のいずれか一つに記載のラップフィルム装置。
【請求項７】
前記突片が、切り欠き若しくは切り線若しくは切り込み線を有するか、又は、前記引き出し用ラベルの引き出し方向とは反対方向を向いているラベル先端部を含むことを特徴とする請求項１〜６のいずれか一つに記載のラップフィルム装置。
【請求項８】
前記切り込み線が、Ｕ字形状、Ｖ字形状、半円形状又は台形形状あるいはこれらの組み合わせであることを特徴とする請求項７に記載のラップフィルム装置。
【発明の詳細な説明】
【技術分野】
【０００１】
本発明は、ラップフィルムをロール状に巻回したラップロールとそれを収容するラップカートンとを有するラップフィルム装置に関し、特に、ラップロールに引き出し用ラベルが貼られているラップフィルム装置に関する。
【背景技術】
【０００２】
近年、食品などの包装に用いるラップフィルムは円筒状の紙管にロール状に巻回されたラップロールの状態でラップカートンに収容されている。ラップフィルムの巻き終端には、使用者がラップフィルムを引き出しやすいように引き出し用ラベルが設けられている。この引き出し用ラベルは、使用者がそれを引っ張ることを容易にするためのつまみ部を有する。つまみ部を使用者が引っ張るとラップフィルムの巻き終端がラップロールから引き離れるので、ラップフィルムの使い易さが向上する。
【０００３】
これに関連して、フィルムＦの巻き終端部の幅方向中央部を巻き止めテープで止め、両側部で巻き終端部のフィルムを折り曲げておく技術が開示されている（例えば、特許文献１を参照。）。この技術によれば、巻き止めテープとともに巻き終端部を剥がすときに、巻き終端部が容易に剥がれる。
【０００４】
また、ラップフィルムのロールを容器内に収容し、容器は、ロールを収容可能な寸法及び上部開口を有する箱本体、及び上部開口を閉じることができる蓋体を含み、ロールはロールの外周面のラップフィルム先端部を容器外へ引き出すためのガイドテープを備え、ガイドテープはロールの外周面の１／３周を超え１周未満の長さを有する技術が開示されている（例えば、特許文献２を参照。）。
【０００５】
また、カートンに収納したロール状包装材料からラップフィルムなどを引き出すときに、ロール状包装材料の回転が抑止されて引き出しにくくなることを防止する技術が開示されている（例えば、特許文献３を参照。）。特許文献３では、本体底板の内面に凸部を設けること、その凸部が複数の線状であること、あるいは、網点状であることが開示されている。
【０００６】
また、カートン本体内でのフィルム巻き体の後面部側への転がり移動を生じさせ難くし、ラップフィルムの切断部分の巻き戻しを抑えて引き出しを容易に行うラップフィルム収容カートンが開示されている（例えば、特許文献４を参照。）。特許文献４では、上記ラップフィルム収容カートンにおいて、底面部から後面部にかけて傾斜面部が位置し、該傾斜面部のカートン本体の長手方向に沿った断面形状をフィルム巻き体収納空間中心側に向けて凸となるように曲成して、傾斜面部をフィルム巻き体の周面に摺接可能に設けることが開示されている。
【０００７】
また、ロール状に巻かれたラップフィルムを収納し得る容器本体と、蓋体と、ラップフィルムを適宜引き出して切断するためのカッターとを備える包装用容器において、ロール状フィルムが容器本体に収納され、フィルム先端部が引き出される前の状態におけるロール状フィルムが当接又は近接するように容器本体の本体底面の内壁に突出部を備えることで、ロール状フィルムの容器本体内での相対的移動を制限する技術が開示されている（例えば、特許文献５を参照。）。
【先行技術文献】
【特許文献】
【０００８】
【特許文献１】特開２０００−６９５９号公報
【特許文献２】特開２００７−１４５４３０号公報
【特許文献３】特開２００４−１６８３７９号公報
【特許文献４】特開２００５−２２７４６号公報
【特許文献５】特開２００８−１３３０４８号公報
【発明の概要】
【発明が解決しようとする課題】
【０００９】
引き出し用ラベルは、製造時では、天面板を向くようにして配置される。しかし、ラップフィルム装置の輸送時などの物流段階において振動によってラップカートン内のラップロールが紙管軸を中心に過度に回転してしまうと、ラップフィルム装置を初めて開封したときに、引き出し用ラベルがラップカートン本体の上面開口部から見えなくなってしまうこととなる。そうすると、開封時、使用者はラップロールを回転させ引き出し用ラベルを上面開口部まで移動させてから引き出し用ラベルのつまみ部を引っ張り、ラップフィルムを引き出すことになり、使い勝手が悪くなる。しかしながら、特許文献１から５で開示された技術は、いずれも、物流段階におけるラップロールの回転防止ないし抑制をするための構成をとっていない。
【００１０】
また、特許文献３で開示された技術は、本体底板の内面に凸部を設けること、その凸部が複数の線状であること、あるいは、網点状であること、の記載があるが、ラップロール自体の回転が抑止されて引き出しにくくなることを防止するためのものであり、上記問題点を何ら解決するものではない。
【００１１】
本発明は、上記問題を解決するためになされたものである。すなわち、本発明の目的は、使用者がラップフィルム装置を開封した際に、引き出し用ラベルがラップカートン本体の上面開口部から見えない位置にあることを防止する構成を有するラップフィルム装置を提供することにある。
【課題を解決するための手段】
【００１２】
上記課題を解決するための本発明に係るラップフィルム装置は、引き出し用ラベルを有するラップロールと、該ラップロールを収容するラップカートンとを有するラップフィルム装置において、前記引き出し用ラベルは、前記ラップロールの表面から離れた少なくとも１つの突片を有し、前記ラップカートンは、前記突片を引っ掛けるための凸凹を内面に有することを特徴とする。
【００１３】
本発明に係るラップフィルム装置では、前記ラップカートンの壁のうち、前記引き出し用ラベルの引き出し方向の壁を本体前面板とし、該本体前面板と対向する壁を本体後面板とし、前記凸凹は、前記本体前面板、前記本体後面板又はその両方に設けられていることが好ましい。引き出し用ラベルのつまみを取り出し易い位置に配置することができる。
【００１４】
本発明に係るラップフィルム装置では、前記本体前面板と前記本体後面板との間の底壁を本体底面板とし、前記本体前面板と前記本体後面板との間の左側の側壁を本体左側面板とし、前記本体前面板と前記本体後面板との間の右側の側壁を本体右側面板とし、前記本体前面板の上端辺、前記本体後面板の上端辺、前記本体左側面板の上端辺及び前記本体右側面板の上端辺が形成する開口部を上面開口部とし、前記本体後面板の上端辺に回動可能に連接され、前記上面開口部を閉鎖時に覆う壁を天面板とし、前記凸凹は、更に、前記天面板、前記本体底面板又はその両方に設けられていることが好ましい。凸凹が本体前面板、本体後面板のみではなく、天面板、本体底面板又はその両方にも設けられていることによって、引っ掛かる箇所が増えるので、仮に１箇所の引っ掛かりが外れてしまっても次の引っ掛かりが生じて、物流時におけるラップロールの回転を抑制できる。
【００１５】
本発明に係るラップフィルム装置では、前記凸凹は、溝又はエンボスであることが好ましい。凸凹が溝であるときはラップカートンの外面への美観の影響がない。凸凹がエンボスであるときはラップカートンの外面に凸部分が形成されるので、ラップフィルム装置を把持したときの滑り止めとなる。
【００１６】
本発明に係るラップフィルム装置では、前記突片は、前記引き出し用ラベルの少なくとも一部を非粘着面とした部分であるか、又は、前記引き出し用ラベルの粘着面同士を貼り合わせた重なり部分であることが好ましい。突片が非粘着面とした部分や重なり部分であれば、突片がラップロールの表面から離れている状態になり、ラップカートンの本体内面に有する凸凹に引掛かりやすい。
【００１７】
本発明に係るラップフィルム装置では、前記引き出し用ラベルの引き出し方向の先端部は、前記引き出し用ラベルの少なくとも一部を非粘着面とした、若しくは、前記引き出し用ラベルの粘着面同士を貼り合わせて重なり部分としたつまみ部を有し、該つまみ部が前記突片を兼ねることが好ましい。使用者がそれを引っ張ることでラップフィルムの巻き終端がラップロールから引き離されるので、ラップフィルムの使いやすさが向上する。
【００１８】
本発明に係るラップフィルム装置は、前記突片が、切り欠き若しくは切り線若しくは切り込み線を有するか、又は、引き出し用ラベルの引き出し方向とは反対方向を向いているラベル先端部を含む形態を包含する。ここで、「切り線」とは、切断線の一方の端が引き出し用ラベルの縁辺まで達していて、他方の端が引き出し用ラベルの面内で止まっている切断線をいう。切り線の場合、突片の縁辺の一部が引き出し用ラベルの縁辺と一致する。また、「切り込み線」とは、切断線の端が、両端とも引き出し用ラベルの面内で止まっている切断線をいう。切り込み線の場合、突片の縁辺は、引き出し用ラベルの縁辺とは別となる。
【００１９】
本発明に係るラップフィルム装置は、前記切り込み線が、Ｕ字形状、Ｖ字形状、半円形状又は台形形状あるいはこれらの組み合わせである形態を包含する。
【発明の効果】
【００２０】
本発明に係るラップフィルム装置は、使用者がラップフィルム装置を開封したときに、引き出し用ラベルがラップカートン本体の上面開口部から見えない位置にあることを防止することができる。
【図面の簡単な説明】
【００２１】
【図１】本実施形態に係るラップフィルム装置の一例を示す第１の斜視概略図である。
【図２】本実施形態に係るラップフィルム装置の一例を示す第２の斜視概略図である。
【図３】ラップロールの一例を示す斜視概略図である。
【図４】図１のＴで示した領域のうち、本体前面板の内面の形態例を示す部分拡大図である。
【図５】図４のＥ‐Ｅ´の断面図であり、（ａ）は内面に凸のエンボスを設けた例であり、（ｂ）は内面に凹のエンボスを設けた例であり、（ｃ）は内面にＵ字形状の溝を設けた例であり、（ｄ）は内面にＶ字形状の溝を設けた例である。
【図６】ラップロールについて第１形態の引き出し用ラベルを通る横断面で切ったときの断面図である。
【図７】ラップロールについて第２形態の引き出し用ラベルを通る横断面で切ったときの断面図である。
【図８】ラップロールについて第３形態の引き出し用ラベルを通る横断面で切ったときの断面図である。
【図９】ラップロールについて第４形態の引き出し用ラベルを通る横断面で切ったときの断面図である。
【図１０】ラップロールについて第５形態の引き出し用ラベルを通る横断面で切ったときの断面図である。
【図１１】引き出し用ラベルを示す概略図であり、（ａ）は切り欠きを有し、突片を１つ有する例であり、（ｂ）は切り欠きを有し、突片を２つ有する例であり、（ｃ）は切り線を有する例である。
【図１２】引き出し用ラベルを示す概略図であり、（ａ）はＵ字形状の切り込み線を有する例であり、（ｂ）はＶ字形状の切り込み線を有する例であり、（ｃ）は台形形状の切り込み線を有する例であり、（ｄ）は半円形状の切り込み線を有する例である。
【図１３】引き出し用ラベルを示す概略図であり、（ａ）は切り込み線を複数有する例であり、（ｂ）は引き出し方向とは反対方向を向いているラベル先端部が突片である例であり、（ｃ）は突片がラベル端辺から突出している例である。
【図１４】引き出し用ラベルの一例を示す断面概略図であり、（ａ）は図９で示した引き出し用ラベル２７であり、（ｂ）は図１０で示した引き出し用ラベル２７である。
【図１５】本実施形態に係るラップフィルム装置の一例を示す断面概略図である。
【発明を実施するための形態】
【００２２】
次に、本発明について実施形態を示して詳細に説明するが本発明はこれらの記載に限定して解釈されない。本発明の効果を奏する限り、実施形態は種々の変形をしてもよい。
【００２３】
本実施形態に係るラップフィルム装置１００は、図１及び図２に示すように、（１）矩形の本体底面板１１と、本体底面板１１の長辺に立設された本体前面板１２及び本体後面板１３と、本体底面板１１の短辺に立設された本体左側面板１４及び本体右側面板１５と、を有し、ラップフィルムがロール状に巻回されたラップロール４０を収容する、上面が開口した容器本体１０と、本体後面板１３の上端辺に回動可能に連接され、容器本体１０の上面開口部１６を閉鎖時に、上面開口部１６を覆う天面板２１と、天面板２１に連接され、本体前面板１２の外側に重ねて配置される蓋前面板２２と、を有する蓋体２０と、ラップロール４０から繰り出され、本体前面板１２と蓋前面板２２との間から引き出されたラップフィルム（不図示）を切断する切断刃３０が設けられているラップカートン５０と、（２）引き出し用ラベル２７を有するラップロール４０と、を有する。
【００２４】
ラップカートン５０は、厚紙、プラスチックなどの板材で形成されている。板材の厚さは、特に限定されないが、一般に０．４５〜０．８０ｍｍである。容器本体１０は、矩形の本体底面板１１の各辺に立設された本体前面板１２、本体後面板１３、本体左側面板１４及び本体右側面板１５によって形成された上面開口部１６を有する横長の略直方体形状の箱である。蓋体２０は、本体後面板１３の上端辺に回動可能に一体に設けられ、容器本体１０の上面開口部１６を覆うことができるようになっている。上面開口部１６を閉鎖時には、天面板２１が上面開口部１６を覆い、蓋前面板２２が本体前面板１２の外側に重ねて配置され、蓋左側面板２４及び蓋右側面板２５が、それぞれ本体左側面板１４及び本体右側面板１５の外側に重ねて配置される。
【００２５】
図３は、ラップロールの一例を示す斜視概略図である。ラップロール４０は、ラップフィルム１９を所定の長さにロール状に巻回したものであり、紙管７を有していてもよい。本明細書において、ラップフィルム１９の終端部１９ａは、ラップロール４０の巻き終端部又はラップフィルム１９の切断端部を包含する。
【００２６】
ラップフィルム１９は密着性を有し、その材質は、例えば、ポリ塩化ビニリデン、ポリ塩化ビニル、ポリエチレン、ポリプロピレン、ポリメチルペンテン、ポリエステル、エチレン酢酸ビニル共重合体である。本実施形態では、自己密着性に優れる点で、ラップフィルム１９がポリ塩化ビニリデンを主成分とすることが好ましい。ラップフィルム１９の厚さは、特に限定されず、例えば食品包装用ラップであれば、５〜２０μｍである。
【００２７】
引き出し用ラベル２７は、支持体と、支持体の片面の全体又は一部に設けられた粘着剤層とを有することが好ましい（粘着型の引き出し用ラベルという。）。
【００２８】
支持体は、合成紙からなる。本明細書において、合成紙とは、合成樹脂を主原料として製造したシート状物をいう。合成紙は、製造方法から大別すると、フィルム法合成紙、ファイバー法合成紙、フィルムラミネート法合成紙がある。フィルム法合成紙は、例えば、内部紙化方式合成紙、表面塗工方式合成紙、表面処理方式合成紙である。内部紙化方式合成紙は、合成樹脂に充填剤及び添加剤を加えて混合し、押出機で溶融混練後、ダイ・スリットから押出して成膜する方法で製造した合成紙であり、無延伸フィルム方式合成紙、二軸延伸フィル方式合成紙を包含する。表面塗工方式合成紙は、プラスチックフィルム（内部紙化方式合成紙を含む）の表面にピグメント塗工層を設けた合成紙である。表面処理方式合成紙は、合成樹脂フィルムの表面を化学的又は物理的に処理した合成紙である。ファイバー法合成紙は、例えば、合成パルプ紙、スパンボンド紙である。合成パルプ紙は、合成樹脂を原料にして作られた樹脂ファイバーを原料とし、バインダーなどを加えて、抄紙機で抄造する合成紙である。スパンボンド紙は、合成樹脂を溶解し、ノズルから噴射して紡糸した繊維をランダムに並べ、部分的に熱接着して繊維間結合を形成した合成紙である。フィルムラミネート法合成紙は、紙の表面にプラスチックフィルムを積層した合成紙である。本実施形態では、フィルム法合成紙が好ましく、内部紙化方式合成紙がより好ましく、二軸延伸フィルム方式合成紙が特に好ましい。主原料となる合成樹脂は、例えば、ポリプロピレン、ポリスチレン、ポリエステルである。支持体の厚さは、６０〜１２０μｍであることが好ましく、７０〜９０μｍであることがより好ましい。支持体の粘着剤層を設ける側とは反対側の表面には、引き出し用ラベル２７の使用方法、装飾模様などの印刷を施してもよい。
【００２９】
粘着剤層の粘着剤は、例えば、ゴム系粘着剤、アクリル系粘着剤、シリコーン系粘着剤、ウレタン系粘着剤である。このうち、ラップフィルム１９に対する粘着性及び剥離性が良好な点で、アクリル系粘着剤であることが好ましい。粘着剤層の厚さは、５〜３０μｍであることが好ましく、１０〜２５μｍであることがより好ましい。粘着剤層は、支持体の片面の一部の領域に設けるか、又は支持体の片面の全領域に設けてもよい。粘着剤層の塗布パターンは、特に制限はなく、全面塗り（ベタ塗り）とするか、又は格子状、縞状、ドット状などの部分塗りとしてもよい。また、全面塗りした糊面上に、透明印刷などの特殊加工を施して部分的に粘着力を弱める加工又は非粘着とする加工、所謂糊殺しを行ってもよい。粘着剤層は、全領域で同じ粘着強度とするか、又は粘着強度の強弱をつけてもよい。粘着強度の強弱をつける形態としては、例えば、引き出し用ラベル２７の浮き上がり防止を目的として、引き出し用ラベル２７の縁部の全部又は一部の粘着強度を、中央部よりも粘着強度を強く設定する形態である。粘着強度の強弱は、例えば、糊殺しをする面積で調整できる。
【００３０】
引き出し用ラベル２７は、ラップロール４０の表面４０ａに貼り付く部分である粘着面７６の一端側につまみ部７４を更に備えることが好ましい。つまみ部７４は、ラップロール４０の表面４０ａに貼り付くことなく遊離した部分であり、使用者による引き出し用ラベル２７の把持を容易にする。つまみ部７４は、支持体に粘着剤層を形成しない部分を設けて形成するか、又は、粘着剤層を全面塗りした糊面上に糊殺しを行う、若しくは引き出し用ラベル２７の先端部を、粘着剤層を内側にして折り返すことで形成してもよい。
【００３１】
引き出し用ラベル２７は、粘着型の場合、好ましくはラップフィルム１９の終端部１９ａを跨いでラップロール４０の表面４０ａに貼り付けられる。ラップロール４０の管軸方向において、引き出し用ラベル２７を貼り付ける位置は、特に制限はなく、図３では一例としてラップロール４０の管軸方向の中央部である形態を示した。
【００３２】
ラップフィルム装置１００について、使用者がつまみ部７４を引っ張ることによって、ラップフィルム１９を引っ張ることができる。使用者の利便性のためのものである。引き出し用ラベル２７が本体底面板１１の方向を向いていると、使用者からは見えなくなるため、使用しにくくなるという問題点が残る。よって、引き出し用ラベル２７は、使用者が使用しやすいように、図１に示したように、天面板２１の方向を向いていることが好ましい。
【００３３】
図１に示すように、本体前面板１２の内面のＴで示した領域には、ラップロール４０の表面４０ａから離れた引き出し用ラベル２７の突片を引っ掛けるための凸凹７７が設けられている。
【００３４】
図４は、図１のＴで示した領域のうち、本体前面板の内面の形態例を示す部分拡大図である。ラップカートン５０の凸凹７７は、図１に示すように、本体前面板１２の内面に設けられている。図４では、凸凹７７は、３つ設けられている。凸凹７７は少なくとも１つ設けられていればよいが、数が多いほど突片が引っ掛かる可能性が高くなるため、数は多いほうが好ましい。また、図１及び図２では、凸凹７７を本体前面板１２の内面に設けられている形態を示したが、本体後面板１３の内面に設けてもよく、特に、本体前面板１２及び本体後面板１３の双方の内面に設けることが好ましい。突片が凸凹７７に引っかかり、ラップロールの回転が抑制される。また、凸凹７７を本体底面板１１の内面に設けても良く、さらに、天面板２１の内面に設けても良い。特には、凸凹７７を本体底面板１１と天面板２１の双方の内面に両方に設けることが好ましい。凸凹７７の形状は、図４に示したように、例えば、本体底面板１１に平行な筋状であるが、点線状であっても良い。凸凹７７の形状は、本体底面板１１に対して傾斜した筋状であっても良い。凸凹７７の形状は、湾曲した筋状であっても良い。凸凹７７の長さは、特に制限はないが、引き出し用ラベル２７の幅よりも長い方が好ましい。
【００３５】
図５は、図４のＥ‐Ｅ´の断面図であり、（ａ）は内面に凸のエンボスを設けた例であり、（ｂ）は内面に凹のエンボスを設けた例であり、（ｃ）は内面にＵ字形状の溝を設けた例であり、（ｄ）は内面にＶ字形状の溝を設けた例である。図５（ａ）（ｂ）に示した凸凹７７は、ラップカートン５０の外表面にも凸凹が生じるので、例えば、滑り止めを兼ねることができる。図５（ｃ）（ｄ）に示した凸凹７７は、ラップカートン５０の外表面には凸凹が生じないので、美観性に優れる。ラップカートン５０の内面に設ける凸凹は典型的には溝又はエンボスであるが、内面に凸凹（段差）を有していれば他の形態であってもよい。本体前面板１２の内面に設ける凸凹７７の種類と、本体後面板１３の内面に設ける凸凹７７の種類は、同じとしても良いし、エンボスと溝の組み合わせであっても良い。また、例えば、本体前面板１２の内面に複数の凸凹７７を設けるとき、凸凹７７の種類は、同じとしても良いし、エンボスと溝の組み合わせであっても良い。図１に示した、他の本体壁面のＴで示した領域においても同様である。また、内面に設ける溝は切れ線であってもよく、Ｖ字形状の溝は、突片が引っ掛かり易い点において好ましい。
【００３６】
図３に示すように、引き出し用ラベル２７は、ラップロール４０の表面４０ａから離れた少なくとも１つの突片７１を有する。図３に示した本実施形態において、つまみ部７４が、ラップロールの表面から離れているときは、つまみ部７４を突片に含めるものとする。図３に示した引き出し用ラベル２７は、突片７１と突片を兼ねたつまみ部７４を有し、突片を２つ有している。なお、本明細書においては、つまみ部が突片を兼ねるとき、突片と表記せずに、つまみ部と表記することとする。
【００３７】
図６は、ラップロールについて、第１形態の引き出し用ラベルを通る横断面で切ったときの断面図である。図６に示したように、突片７１は、引き出し用ラベル２７の粘着面７６の一部を非粘着面とした部分である。また、引き出し用ラベル２７の引き出し方向Ｓの先端部は、引き出し用ラベル２７の粘着面７６の一部を非粘着面としたつまみ部７４を有する。つまみ部７４も突片７１と同様にラップロール４０の表面４０ａから離れている。非粘着面とした部分は、突片７１とつまみ部７４のいずれについても、あらかじめ糊無塗布部分を形成するか、または全面塗りした糊面上に、透明印刷などの特殊加工を施して部分的に粘着力を弱める加工又は非粘着とする加工、所謂糊殺しによって非粘着面とされる。
【００３８】
図７は、ラップロールについて、第２形態の引き出し用ラベルを通る横断面で切ったときの断面図である。図７に示したように、突片８８は、引き出し用ラベル２７の粘着面同士を貼り合わせた重なり部分である。また、引き出し用ラベル２７は、図６に示した場合と同様に、つまみ部７４を有する。つまみ部７４も突片８８と同様にラップロール４０の表面４０ａから離れている。突片８８は、引き出し用ラベル２７の粘着面同士を貼り合わせた重なり部分であるため、凸凹７７に引っ掛かり易い。
【００３９】
図８は、ラップロールについて、第３形態の引き出し用ラベルを通る横断面で切ったときの断面図である。図８に示したように、突片８８は、引き出し用ラベル２７の先端を折り返して重なり合わせた部分である。その他の部分は、図７と同様である。
【００４０】
図６〜図８では、引き出し用ラベル２７は、ラップフィルム１９の終端部１９ａを跨いでラップロール４０の表面４０ａに貼り付けられている形態が示されている。引き出し用ラベル２７の貼り付け形態としては、図９又は図１０に示す変形形態としてもよい。図９は、ラップロールについて、第４形態の引き出し用ラベルを通る横断面で切ったときの断面図である。第４形態の引き出し用ラベル２７は、ラップロール４０の半周以上１周未満の長さを有する引き出し用ラベルであるがこれに限定されない。図９に示したように、引き出し用ラベル２７は、つまみ部８４を有し、つまみ部は突片を兼ねている。引き出し用ラベル２７がラップフィルム１９の最表層とその下層のラップフィルム１９の間に巻き込まれている。この場合、引き出しラベル２７の支持体は、紙、フィルムなどであってもよく、支持体には粘着剤層を設けなくてもよい。つまみ部８４は、ラップフィルム１９の終端部１９ａからはみ出ている。
【００４１】
図１０は、ラップロールについて第５形態の引き出し用ラベルを通る横断面で切ったときの断面図である。第５形態の引き出し用ラベルは、図９で示した第４形態の引き出し用ラベルについて、引き出し方向Ｓとは反対方向を向いている突片７９を更に設けている。突片７９は、ラップフィルム１９の終端部１９ａからはみ出た部分に設けられており、ラップロール４０の表面から離れている。その他の部分は図９と同様である。
【００４２】
次に、引き出し用ラベル２７の具体的な形状について説明する。図１１は、引き出し用ラベルを示す概略図であり、（ａ）は切り欠きを有し、突片を１つ有する例であり、（ｂ）は切り欠きを有し、突片を２つ有する例であり、（ｃ）は切り線を有する例である。図１１（ａ）では、突片７１が切り欠き形状を有している。図中の斜線部は、非粘着面であることを示している。引き出し用ラベル２７は、つまみ部７４を有している。つまみ部７４の先端は、引き出し方向Ｓを向いており、突片７１の先端は、引き出し方向Ｓの反対方向を向いている。図１１（ａ）では、突片７１が１つの例を示したが、図１１（ｂ）では、突片７１が２つの例を示している。突片７１が２つであるため、凸凹７７に引っ掛かる可能性を高めることができる。図１１（ｃ）では、突片７１が切り線形状を有している。図１１（ｂ）（ｃ）のいずれにおいても、図中の斜線部が非粘着面であること及びつまみ部７４と突片７１の先端部の方向は、図１１（ａ）の場合と同様である。
【００４３】
図１２は、引き出し用ラベルを示す概略図であり、（ａ）は突片７１がＵ字形状の切り込み線を有する例であり、（ｂ）は突片７１がＶ字形状の切り込み線を有する例であり、（ｃ）は突片７１が台形形状の切り込み線を有する例であり、（ｄ）は突片７１が半円形状の切り込み線を有する例である。図１２において、斜線部が非粘着面であること及びつまみ部７４と突片７１の先端部の方向は、図１１（ａ）の場合と同様である。
【００４４】
図１３は、引き出し用ラベルを示す概略図であり、（ａ）は切り込み線を複数有する例であり、（ｂ）は引き出し方向とは反対方向を向いているラベル先端部が突片である例であり、（ｃ）は突片がラベル側辺から突出している例である。  図１３（ａ）では、突片７１が３つあり、Ｕ字形状の切り込み線を有する突片７１ａと、三角形状の切り込み線を有する突片７１ｂと、Ｕ字形状の切り込み線を有する突片７１ｃとが組み合わされている。突片７１ｃとつまみ部７４の先端は、引き出し方向Ｓを向いていて、突片７１ａと突片７１ｂの先端は、引き出し方向Ｓと反対方向を向いている。したがって、図１３（ａ）で示した引き出し方向Ｓとその反対方向とでそれぞれ２つずつ、凸凹７７に引っ掛かる箇所がある。図１３（ｂ）では、突片７１は、引き出し方向Ｓとは反対方向を向いているラベル先端部を含む。つまみ部７４の先端は、引き出し方向Ｓを向いていて、突片７１は、引き出し方向Ｓと反対方向を向いている。図１３（ｃ）では、突片７２ａと突片７２ｂの端部は、引き出し方向Ｓの先端部以外に存在する。突片７２ａは、引き出し用ラベル２７の片幅から突出して設けられており、突片７２ｂは、引き出し用ラベル２７の反対側の片幅から突出して設けられている。つまみ部７４と突片７２ｂの先端部は、引き出し方向Ｓを向いており、突片７２ａの先端部は、引き出し方向Ｓと反対方向を向いている。したがって、図１３（ｃ）で示した例では、引き出し方向Ｓに２つの凸凹７７に引っ掛かる箇所があり、引き出し方向Ｓとは反対方向に１つの凸凹７７に引っ掛かる箇所がある。図１３において、斜線部が非粘着面であること及びつまみ部７４の方向は、図１１（ａ）の場合と同様である。
【００４５】
図１４は、引き出し用ラベルの一例を示す断面概略図であり、（ａ）は図９で用いた引き出し用ラベル２７であり、（ｂ）は図１０で用いた引き出し用ラベル２７である。なお、図１０は、図１４（ｂ）のＧ−Ｇ´で切ったときの断面図を示している。図中、斜線部分は、非粘着面であることを示している。図１４（ａ）の引き出し用ラベル２７は、一端に突片を兼ねるつまみ部８４を有する。図１４（ｂ）の引き出し用ラベル２７は、図１４（ａ）の引き出し用ラベル２７において、更に突片７９が設けられている。つまみ部８４と突片７９の部分が、ラップロール表面から離れた部分となる。図１４（ａ）のつまみ部８４を除いた長さｔ及び図１４（ｂ）のつまみ部８４及び突片７９を除いた長さｔは、ラップロールに巻かれているラップフィルムの間に挟まれて巻き込まれる最大長さに対応し、ラップロールの半周以上一周未満の長さであることが好ましいがこれに限定されない。ラップフィルムを引き出すだけの摩擦力を得ることができる。
【００４６】
図１５は、本実施形態に係るラップフィルム装置の一例を示す断面概略図である。引き出し用ラベル２７は、図１２（ａ）を示した引き出し用ラベルである。凸凹７７は、図５（ｃ）に示した溝である。引き出し用ラベル２７と凸凹７７の種類は、適宜変更可能であり、これに限定されるものではない。また、引き出し用ラベル２７と凸凹７７とは、引っ掛かる位置関係で配置されている。
【００４７】
図１５は、図１２（ａ）で示したＦ−Ｆ´断面で切ったときのラップフィルム装置１００の断面概略図である。引き出し用ラベル２７は、製造時では、蓋側を向くようにして配置される。そして、ラップフィルム装置１００の輸送時などの物流段階において振動によってラップフィルム装置１００内のラップロール４０が紙管７を中心に回転する場合を想定する。まず、引き出し用ラベル２７は、引き出し方向Ｓに回転する場合、つまみ部７４の先端７５が本体前面板１２の内面に設けられた凸凹７７ａに引っ掛かる。図１５では、凸凹７７ａを３つ設けたので、さらに、紙管７が回転したとしても、隣にある凸凹７７ａに再び引っ掛かる。さらに、紙管７が回転した場合、本体底面板１１の内面に設けられた凸凹７７ｃに引っ掛かる。次に、引き出し用ラベル２７は、引き出し方向Ｓと反対方向に回転する場合、突片７１の先端部が本体後面板１３の内面に設けられた凸凹７７ｂに引っ掛かる。図１５では、凸凹７７ｂを３つ設けたので、さらに、紙管７が回転したとしても、隣にある凸凹７７ｂに再び引っ掛かる。さらに、紙管７が回転した場合、本体底面板１１の内面に設けられた凸凹７７ｃに引っ掛かる。このように、本実施形態に係るラップフィルム装置１００を初めて開封したときに、引き出し用ラベル２７がラップカートン本体１０の上面開口部１６から見えなくなってしまうことがない。したがって、開封時、使用者の使い勝手が良い。
【産業上の利用可能性】
【００４８】
本発明によれば、本発明に係るラップフィルム装置は、突片又はつまみ部の先端がラップカートンの内面に有する凸凹により、輸送時の振動による過度な回転を防止し、例えば、食品、容器などの包装容器、荷崩れ防止など梱包資材として使用される包装容器として好適である。
【符号の説明】
【００４９】
１００  ラップフィルム装置
７  紙管
１０  容器本体
１１  本体底面板
１２  本体前面板
１３  本体後面板
１４  本体左側面板
１５  本体右側面板
１６  上面開口部
１９  ラップフィルム
１９ａ  ラップフィルム終端部
２０  蓋体
２１  天面板
２２  蓋前面板
２４  蓋左側面板
２５  蓋右側面板
２７  引き出し用ラベル  
３０  切断刃
４０  ラップロール
４０ａ  ラップロールの表面
５０  ラップカートン
７１、７１ａ、７１ｂ、７１ｃ、７２ａ、７２ｂ、７９  突片
７４、８４  つまみ部
７５  つまみ部の先端
７６  粘着面
７７、７７ａ、７７ｂ、７７ｃ、７７ｄ  凸凹
８８  突片（ラベルの重なり部分）
Ｓ  引き出し方向
Ｔ  ラップカートンの壁の一部の領域
【図１】
2015003743.tif 000003
【図２】
2015003743.tif 000004
【図３】
2015003743.tif 000005
【図４】
2015003743.tif 000006
【図５】
2015003743.tif 000007
【図６】
2015003743.tif 000008
【図７】
2015003743.tif 000009
【図８】
2015003743.tif 000010
【図９】
2015003743.tif 000011
【図１０】
2015003743.tif 000012
【図１１】
2015003743.tif 000013
【図１２】
2015003743.tif 000014
【図１３】
2015003743.tif 000015
【図１４】
2015003743.tif 000016
【図１５】
2015003743.tif 000017